(57)【要約】【課題】遠心式送風機において空気の逆流を防止することで送風効率の向上を図る。【解決手段】遠心式送風機１０において、ファン１４の収納されたケーシング１８の下部に駆動源１２を保持可能なハウジング２０が設けられ、該ハウジング２０の一部が前記ケーシング１８の内部へと挿入されることで通路部１６の内周壁を構成すると共に、通路部１６側へと突出したフランジ４４によって巻き終わりＣ２付近の空気がファン１４側へ逆流することが防止される。また、ハウジング２０におけるキャップ部４０の外周縁部４０ｂが通路部１６の下壁部３６ｂに当接して面接触することでシール性の向上を図る。【選択図】図１
2017172545.tif 000002
【特許請求の範囲】
【請求項１】
ケーシングと、該ケーシングの内部に収納され軸方向に吸入した空気を径方向へ送風するファンとを有し、前記ケーシングに、軸方向一端側に開口した空気取入口と、前記ファンの外周側に形成される渦巻状の通路と、前記通路の巻き終わり側端部に開口する吐出部とを有した遠心式送風機において、
前記ケーシングの軸方向他端には、前記ファンを駆動する駆動源を保持するハウジングが設けられ、該ハウジングの一部が前記通路に臨む位置まで挿入され該通路の一部を構成すると共に、前記通路の巻き終わり近傍において前記ハウジングの外周面から径方向外側へと突出したフランジを備えることを特徴とする遠心式送風機。
【発明の詳細な説明】
【技術分野】
【０００１】
本発明は遠心式送風機に関し、一層詳細には、車両に搭載される空調装置に使用される遠心式送風機に関する。
【背景技術】
【０００２】
従来から、車両用空調装置には、内気又は外気を取り込むファンと、前記ファンを回転させるモータと、前記ファンを囲繞するケーシングとから構成される遠心式送風機が採用されている。
【０００３】
このような遠心式送風機は、例えば、特許文献１に開示されるように、ケーシングの内部には渦巻状で下流側に向かって徐々に通路断面積の増加する渦巻風路が形成されると共に、前記渦巻風路の中心となる位置にファン及びモータが設けられている。そして、ファンの回転作用下にケーシングに開口した空気取入口を通じて空気を内部へと取り込み、前記ファンの外周側を旋回するように形成された渦巻風路へと空気が流れて端部から送出される。
【先行技術文献】
【特許文献】
【０００４】
【特許文献１】特許第３８４３９４１号公報
【発明の概要】
【発明が解決しようとする課題】
【０００５】
しかしながら、上述した遠心式送風機では、ケーシングの渦巻風路に沿って流れた空気が該渦巻風路の出口近傍においてファン側へと逆流することがあり、前記ファンによる送風効率の低下を招くこととなる。
【０００６】
本発明は、前記の課題を考慮してなされたものであり、空気の逆流を防止することで送風効率の向上を図ることが可能な遠心式送風機を提供することを目的とする。
【課題を解決するための手段】
【０００７】
前記の目的を達成するために、本発明は、ケーシングと、ケーシングの内部に収納され軸方向に吸入した空気を径方向へ送風するファンとを有し、ケーシングに、軸方向一端側に開口した空気取入口と、ファンの外周側に形成される渦巻状の通路と、通路の巻き終わり側端部に開口する吐出部とを有した遠心式送風機において、
ケーシングの軸方向他端には、ファンを駆動する駆動源を保持するハウジングが設けられ、ハウジングの一部が通路に臨む位置まで挿入され通路の一部を構成すると共に、通路の巻き終わり近傍においてハウジングの外周面から径方向外側へと突出したフランジを備えることを特徴とする。
【０００８】
本発明によれば、遠心式送風機を構成するケーシングの内部には、ファンの外周側に渦巻状の通路が形成され、軸方向一端に開口した空気取入口とは反対側となる軸方向他端には、ファンを駆動する駆動源を保持するハウジングが設けられる。このハウジングの一部を、ケーシング内に挿入し通路に臨む位置に配置することで通路の一部を構成すると共に、通路の巻き終わり近傍においてハウジングの外周面から径方向外側へと突出したフランジを備える。
【０００９】
これにより、通路の巻き終わり近傍においてハウジングの外周面から突出したフランジによって巻き終わり近傍まで流れた空気がファン側へと逆流してしまうことが確実に防止されるため、この逆流に起因したファンの作動抵抗の増加が回避され、それに伴って、ファンを円滑に作動させることで送風効率の向上を図ることが可能となる。
【発明の効果】
【００１０】
本発明によれば、以下の効果が得られる。
【００１１】
すなわち、遠心式送風機を構成するケーシングの軸方向他端に、ファンを駆動する駆動源を保持するハウジングが設けられ、その一部をケーシング内に挿入することで通路の一部を構成すると共に、通路の巻き終わり近傍においてハウジングの外周面から径方向外側へと突出したフランジを備える。これにより、通路の巻き終わり近傍まで流れた空気がフランジによってファン側へと逆流してしまうことが確実に防止されるため、ファンを円滑に作動させることで送風効率の向上を図ることが可能となる。
【図面の簡単な説明】
【００１２】
【図１】本発明の実施の形態に係る遠心式送風機の全体断面図である。
【発明を実施するための形態】
【００１３】
本発明に係る遠心式送風機について好適な実施の形態を挙げ、添付の図面を参照しながら以下詳細に説明する。図１において、参照符号１０は、本発明の実施の形態に係る遠心式送風機を示す。
【００１４】
この遠心式送風機１０は、図１に示されるように、モータ等からなる駆動源１２と、該駆動源１２の駆動作用下に回転するファン１４と、該ファン１４を収納すると共に渦巻状の通路部１６を有したケーシング１８と、該ケーシング１８の下部に設けられ前記駆動源１２を保持するハウジング２０とを含む。
【００１５】
駆動源１２は、例えば、ケーシング１８の略中央下部に設けられ、その回転軸２２が前記ケーシング１８内へ突出してファン１４に連結される。
【００１６】
ファン１４は、ケーシング１８の略中央に収納され、周方向に沿って等間隔離間した複数のブレード２４と、前記ブレード２４の上端部に設けられた環状のシュラウド２６と、前記ブレード２４の下端部に設けられたボス部２８とを備え、中心から外周側に向かい且つ下方（矢印Ａ方向）へ向かって傾斜したボス部２８の中心が駆動源１２の回転軸２２と連結される。
【００１７】
これにより、ファン１４が回転することでシュラウド２６から内側に取り込まれた空気がボス部２８に沿って下方（矢印Ａ方向）且つ外周側へと導かれた後、各ブレード２４の間を通じて外周側へと送出される。
【００１８】
ケーシング１８は、例えば、略中央部にファン１４が収納され軸方向（矢印Ａ、Ｂ方向）に分割可能なケース本体３０を有し、前記ケース本体３０の内部にはファン１４が収納され、軸方向（矢印Ａ、Ｂ方向）に沿った上端部中央には空気取入口３２が開口している。この空気取入口３２は、例えば、略円形状に開口し、ケーシング１８の内部と外部とを連通させると共に、外周部には内側に向かって折り返されたベルマウス３４が形成される。
【００１９】
このケース本体３０の内部に形成される通路部１６は、例えば、断面矩形状に形成され、その外周壁１６ａは巻き始めＣ１から巻き終わりＣ２に向かって徐々にケース本体３０から離間するように径方向外側へと対数螺旋状に形成される。また、通路部１６は、その巻き始めＣ１から巻き終わりＣ２に向かって上壁部３６ａの位置は変わらず、下壁部３６ｂが徐々に下方（矢印Ａ方向）へと傾斜するように形成されることで、前記巻き終わりＣ２側に向かって徐々に通路断面積が大きくなる。
【００２０】
そして、通路部１６の巻き終わりＣ２には、該巻き終わりＣ２から接線方向に向かって直線状に延在し端部の開口した吐出部（図示せず）が形成される。
【００２１】
ハウジング２０は、例えば、樹脂製材料から有底円筒状に形成されたホルダ部３８と、該ホルダ部３８の径方向外側に設けられたキャップ部４０とからなり、前記ホルダ部３８が駆動源１２及びファン１４と同軸上に設けられ、その内部に前記駆動源１２が収納されると共に、その一部がケース本体３０の内部に収納される。
【００２２】
このホルダ部３８は、円筒状に形成され内部に駆動源１２の収納される収納部４２と、該収納部４２の上端部から径方向外側に向かって延在するフランジ４４と、前記収納部４２の外周側に設けられ前記フランジ４４に対して鉛直下方（矢印Ａ方向）へと延在した壁部４８とを有する。
【００２３】
このフランジ４４は、例えば、ホルダ部３８の周方向に沿って形成され、ホルダ部３８を含むハウジング２０をケーシング１８の下部へと取り付ける際、ケーシング１８における通路部１６の巻き始めＣ１から巻き終わりＣ２にかけて下壁部３６ｂに対して当接する。この際、フランジ４４と通路部１６の下壁部３６ｂとが所定面積で接触した面接触となる。
【００２４】
また、フランジ４４は、ケース本体３０の巻き終わりＣ２近傍において通路部１６側へと所定長さだけ突出し、且つ、前記ケーシング１８の外周壁１６ａと略直交するように形成される。さらに、このフランジ４４は、ホルダ部３８を下方から上方（矢印Ｂ方向）に向かってケーシング１８へと組み付ける際に、下壁部３６ｂの開口部に挿入可能な大きさで形成される。
【００２５】
そして、フランジ４４の外周端から所定距離だけ収納部４２側となる位置に壁部４８が設けられる。
【００２６】
この壁部４８は、ホルダ部３８をケース本体３０の内部に収納することで通路部１６の内周壁として機能し、その下端近傍には、ケース本体３０の巻き終わりＣ２近傍に臨む位置に冷却孔５０が開口し、前記壁部４８と収納部４２との間に形成された冷却通路５２と連通している。冷却通路５２は、冷却孔５０と収納部４２の側面に開口したホルダ孔４２ａとを連通させている。
【００２７】
キャップ部４０は、ホルダ部３８及びケーシング１８の一部の下部を覆うように設けられ、平面状に形成された内周縁部４０ａがホルダ部３８における収納部４２の底部に当接し、一方、平面状に形成された外周縁部４０ｂがケーシング１８における巻き終わりＣ２近傍の下壁部３６ｂの下側に当接する。
【００２８】
すなわち、キャップ部４０は、その内周縁部４０ａがホルダ部３８の下部に対して所定面積で接触した面接触状態となり、外周縁部４０ｂも同様にケーシング１８の下壁部３６ｂに対して所定面積で接触した面接触状態となる。
【００２９】
そして、通路部１６を流れる空気の一部が、その巻き終わりＣ２近傍において冷却孔５０を通じてキャップ部４０によって囲まれた冷却通路５２へと流れ、ホルダ孔４２ａを通じてホルダ部３８の内部へと導入されることで、駆動源１２の冷却がなされる。
【００３０】
本発明の実施の形態に係る遠心式送風機１０は、基本的には以上のように構成されるものであり、次にその動作並びに作用効果について説明する。
【００３１】
先ず、図示しないコントローラからの制御信号に基づいた駆動源１２の駆動作用下にファン１４が回転することで、ケーシング１８の上方に開口した空気取入口３２から前記ファン１４の内側へと空気が吸い込まれる。そして、ファン１４の内側へと取り込まれた空気がボス部２８に沿って下方且つ外周側へと導かれた後、複数のブレード２４の間を通過して外周側の通路部１６へと送出される。
【００３２】
この通路部１６へと送出された空気は、該通路部１６に沿って巻き始めＣ１から巻き終わりＣ２側へと流れ、該巻き終わりＣ２側まで到達した後、図示しない吐出部を通じて外部へと導出される。この際、通路部１６の巻き終わりＣ２近傍には、内周側に設けられたハウジング２０から前記通路部１６側に向かって突出したフランジ４４が設けられているため、例えば、前記通路部１６の下壁部３６ｂに沿って流れていた空気が、上方且つ内周側に配置されたファン１４側へと逆流してしまうことが防止される。
【００３３】
すなわち、フランジ４４は、通路部１６の巻き終わりＣ２近傍において、前記通路部１６の下壁部３６ｂとファン１４との間となる位置に設けられる。
【００３４】
また、通路部１６の下壁部３６ｂにはキャップ部４０の外周縁部４０ｂが重なり合うように設けられ面接触しているため、空気がケーシング１８とハウジング２０との接続部位から外部へと漏れてしまうことがない。
【００３５】
さらに、通路部１６の巻き終わりＣ２近傍に開口した冷却孔５０を通じてハウジング２０の内部へと空気の一部が取り込まれ、冷却通路５２に沿って流れてホルダ部３８の内部へと供給されることで、ホルダ部３８に収納された駆動源１２が好適に冷却されることとなる。
【００３６】
以上のように、本実施の形態では、駆動源１２を保持可能なハウジング２０をケーシング１８の下部に設け、その一部を前記ケーシング１８の内部に挿入することで前記ハウジング２０の壁部４８が通路部１６の内周壁を構成し、前記壁部４８から径方向外側へ突出するようにフランジ４４を設けることにより、通路部１６に沿って巻き終わりＣ２近傍まで流れた空気がフランジ４４によってファン１４側へと逆流してしまうことが防止される。その結果、空気の逆流に起因したファン１４の作動抵抗の増加が回避され、それに伴って、前記ファン１４を円滑に作動させ送風効率の向上を図ることができる。
【００３７】
また、ハウジング２０を構成するキャップ部４０に径方向外側へ拡がった外周縁部４０ｂを形成し、該外周縁部４０ｂをケース本体３０における通路部１６の下壁部３６ｂへと面接触させることで、前記ハウジング２０とケーシング１８との間を通じた空気の漏れが確実に防止され、シール性を高めることが可能となる。
【００３８】
さらに、ハウジング２０において、通路部１６の巻き終わりＣ２近傍となる位置にホルダ部３８の壁部４８に開口するように冷却孔５０を形成することで、ケーシング１８に対して冷却風を流すための冷却室を設ける必要がなく駆動源１２を確実に冷却することができる。そのため、駆動源１２を冷却するための冷却室を別に設ける場合と比較し、遠心式送風機１０の小型軽量化を図ることができる。
【００３９】
なお、本発明に係る遠心式送風機は、上述の実施の形態に限らず、本発明の要旨を逸脱することなく、種々の構成を採り得ることはもちろんである。
【符号の説明】
【００４０】
１０…遠心式送風機                  １２…駆動源
１４…ファン                        １６…通路部
１８…ケーシング                    ２０…ハウジング
３０…ケース本体                    ３８…ホルダ部
４０…キャップ部                    ４４…フランジ
４８…壁部                          ５０…冷却孔
５２…冷却通路
【図１】
2017172545.tif 000003